(57)【要約】      （修正有）【課題】視界を遮断されることなく使用が可能なアイマスク型冷却具を提供する。【解決手段】本体１１は、眼及びその周辺を覆うマスク部１１１と、該マスク部１１１の左右から延出するバンド１１２ａ及び１１２ｂと、マスク部１１１の中央付近（利用者の眼前にくる位置）に設けられる略長方形の横長の開口１１４と、を有している。枠体１２は、中央付近に横長の開口１２１を有する枠形状の袋体であり、本体１１のマスク部１１１の内側表面に互いの開口が重なるよう溶着されている。なお、開口１２１は、本体１１の開口１１４と同形か、それ以上に大きく形成されている。また、枠体１２の内部には、冷却材が封入されている。冷却材としては、氷や水の他、冷やして或いは凍らせて使用することが可能なゲル剤、例えば、ポリアクリル酸ナトリウム、硫酸アンモニウム、硫酸ナトリウム、グリセリン等が挙げられる。【選択図】図１
0003168814.tif 000002
【実用新案登録請求の範囲】
【請求項１】
利用者の両眼とその周辺を覆うマスク部と、マスク部から延出する装着用のバンドと、を備えるアイマスクであって、
前記マスク部は、
利用者の眼前に形成される横長の開口と、
利用者の両眼の周辺に当接する枠体と、を有していること
を特徴とするアイマスク。
【請求項２】
請求項１に記載のアイマスクであって、
前記枠体は、袋形状であり、袋内に冷却材が収容されていること
を特徴とするアイマスク。
【請求項３】
請求項１に記載のアイマスクであって、
前記枠体は、袋形状であり、袋内に保温材が収容されていること
を特徴とするアイマスク。
【請求項４】
請求項１に記載のアイマスクであって、
前記枠体に、磁性体が収容されていること
を特徴とするアイマスク。
【請求項５】
請求項１から４の何れか一項に記載のアイマスクであって、
前記開口は、横方向に一列に連続して配置された孔からなること
を特徴とするアイマスク。
【請求項６】
請求項１から５の何れか一項に記載のアイマスクであって、
前記開口の周辺に、着脱自在の交換部材を貼附するための貼附部材を有していること
を特徴とするアイマスク。
【考案の詳細な説明】
【技術分野】
【０００１】
本考案は、冷却用または保温用のアイマスクに関する。
【背景技術】
【０００２】
現在、顔面を冷却する冷却具としてのアイマスクが知られている。これらは、アイマスクのマスク部分が冷却機能を有し、眼とその周辺を冷やすことで、眼の腫れを取ったり、暑さや眼精疲労を和らげたりするために用いられる。
【０００３】
例えば、特許文献１には、袋体に冷媒を出し入れ可能な顔面用保冷具が開示されている。これは、アイマスクのマスク部分が袋体として形成され、中に冷媒を入れて使用するものである。
【０００４】
しかしながら、このようなアイマスク型の保冷具は、既存のアイマスクに冷却機能を持たせたものであり、眼とその周辺を完全に覆うために視界が奪われてしまう。よって、これらを利用できるのは安静時や睡眠時等に限られ、同時に作業を行うことはできなかった。
【先行技術文献】
【特許文献】
【０００５】
【特許文献１】特開２００２−３０３４７１号公報
【考案の概要】
【考案が解決しようとする課題】
【０００６】
そこで本考案は、視界を遮断されることなく使用が可能なアイマスク型冷却具を提供することを目的とする。
【課題を解決するための手段】
【０００７】
上記課題を解決するために、本考案の一態様に係るアイマスク型冷却具は、利用者の両眼とその周辺を覆うマスク部と、マスク部から延出する装着用のバンドと、を備えるアイマスクであって、前記マスク部は、利用者の眼前に形成される横長の開口と、利用者の両眼の周辺に当接する枠体と、を備えることを特徴とする。
【考案の効果】
【０００８】
本考案によれば、視界を遮断されることなく使用が可能なアイマスク型冷却具を提供できる。
【図面の簡単な説明】
【０００９】
【図１】（ａ）（ｂ）本考案の第一の実施形態に係るアイマスク型冷却具１の上面図である。
【図２】本考案の第一の実施形態に係るアイマスク型冷却具１の断面図である。
【図３】本考案の第一の実施形態に係るアイマスク型冷却具１の使用図である。
【図４】本考案の第一の実施形態の変形例１に係るアイマスク型冷却具１ａ及び１ｂの上面図である。
【図５】本考案の第一の実施形態の変形例２に係るアイマスク型冷却具１ｃの上面図である。
【図６】（ａ）（ｂ）本考案の第二の実施形態に係るアイマスク型冷却具２の上面図である。
【図７】（ａ）本考案の第三の実施形態に係るアイマスク型冷却具３の上面図である。（ｂ）本考案の第三の実施形態に係る交換部材３０ａ〜３０ｃの上面図である。
【図８】本考案の第一の実施形態の変形例に係るアイマスク型冷却具１ｄの上面図である。
【考案を実施するための形態】
【００１０】
本考案の実施の形態について、以下、図に基づいて説明する。
【００１１】
＜第一の実施形態＞
図１（ａ）は、本考案の第一の実施形態に係るアイマスク型冷却具１を内側（利用者側）から見た上面図、図１（ｂ）は、アイマスク型冷却具１を外側（利用者とは逆側）から見た上面図である。図２は、アイマスク型冷却具１を、図１（ａ）の破線断面を矢視方向Ａから見た場合の断面図である。
【００１２】
図１（ａ）（ｂ）及び図２に示すように、アイマスク型冷却具１は、頭部に装着可能なアイマスク形状の本体１１と、本体１１に溶着された枠体１２と、を備えている。
【００１３】
本体１１は、眼及びその周辺を覆うマスク部１１１と、該マスク部１１１の左右から延出するバンド１１２ａ及び１１２ｂと、マスク部１１１の中央付近（利用者の眼前にくる位置）に設けられる略長方形の横長の開口１１４と、を有している。
【００１４】
バンド１１２ａ及び１１２ｂは、耳に掛けて、マスク部１１１を顔面に固定するためのものであり、例えば、ゴムひも等の弾性素材から構成される。
【００１５】
本体１１の開口１１４は、利用者がマスク部１１１を顔面に固定した際に、眼前に開口する位置に形成されている。なお、本体１１の素材にはどのようなものを用いても良いが、例えば、ポリ塩化ビニル等の、柔軟性のある高分子材料が挙げられる。
【００１６】
枠体１２は、中央付近に横長の開口１２１を有する枠形状の袋体であり、図２に示すように、本体１１のマスク部１１１の内側表面に互いの開口が重なるよう溶着されている。なお、開口１２１は、本体１１の開口１１４と同形か、それ以上に大きく形成されている。また、枠体１２の内部には、冷却材が封入されている。冷却材としては、氷や水の他、冷やして或いは凍らせて使用することが可能なゲル剤、例えば、ポリアクリル酸ナトリウム、硫酸アンモニウム、硫酸ナトリウム、グリセリン等が挙げられる。これにより利用者は、冷蔵庫で冷やしたり凍らせたりして、何度も繰り返して使用することができる。
【００１７】
このような枠体１２の素材についてもどのようなものを用いても良く、例えば、ポリ塩化ビニル等の、柔軟性のある高分子材料が挙げられる。なお、枠体１２は、本体１１とウエルダー加工等により一体に形成することができる。また、枠体１２にさらなる圧着部分を設けることで、冷却材の流動が規制するようにしてもよい。これにより冷却材の偏在が無くなり、眼及びその周辺をバランスよく冷却することができる。
【００１８】
ここで、上記のようなアイマスク型冷却具１の使用方法について説明する。図３は、アイマスク型冷却具１の使用例を説明するための説明図である。
【００１９】
図３に示すように、利用者は、本体１１の開口１１４及び枠体１２の開口１２１が眼前にくるようにマスク部１１１を顔面にあてがい、バンド１１２ａ及び１１２ｂを耳に掛けてアイマスク型冷却具を顔面に固定する。その際、枠形状である枠体１２が眼の周辺を囲んで肌に密着し、利用者は視界を保ったままで、眼の周辺を冷却することができる。
【００２０】
また、開口１１４によって視野が一定の範囲に制限されるため、利用者はより作業に集中することができる。
【００２１】
次に、このようなアイマスク型冷却具１の変形例について説明する。なお、以下の各変形例では、前実施形態と同じ部分については同じ符号を付して、その詳細な説明を省略する。
【００２２】
＜変形例１＞
図４（ａ）は、本考案の変形例１に係るアイマスク型冷却具１ａの上面図、図４（ｂ）は、本考案の変形例１に係るアイマスク型冷却具１ｂの上面図である。本例に係るアイマスク型冷却具１ａ及び１ｂは、上述の実施形態に係るアイマスク型冷却具１とほぼ同じ構成であるが、枠体１２が、枠形状ではない点で異なる。
【００２３】
アイマスク型冷却具１ａは、図４（ａ）に示すように、枠形状の枠体１２の上側長辺である枠体１２ａと、下側長辺である枠体１２ｂとのみからなり、左右の短辺部分を取り除いたものである。これにより、利用者は、こめかみを冷やすことなく、眼の上下周辺のみを冷やすことができる。
【００２４】
アイマスク型冷却具１ｂは、図４（ｂ）に示すように、枠形状の枠体１２の上側長辺である枠体１２ａと、下側長辺を左右に分離した枠体１２ｃ及び１２ｄとからなる。下側長辺の中央部を取り除いたことにより、利用者は、鼻を冷やすことなく、枠体１２ｃ及び１２ｄの間に鼻を挟むことによって、安定して固定できる。
【００２５】
また、本体１１ａは、該本体と一体に形成されるバンド１１６ａ及び１１６ｂを備えている。各バンドの先端の一方の面には、固定部材１１３ａ及び１１３ｂが形成され、マスク部１１１を顔面にあてがってバンド１１６ａ及び１１６ｂを頭部に巻きつけた際に、例えば後頭部でバンドどうしを連結できる。ここでは固定部材１１３ａ及び１１３ｂとして、マジックテープ（登録商標）を利用するものとしているが、これに限らず、他の面状ファスナーや、スナップ、ボタン、マグネット等の留め具を利用してもよい。
【００２６】
このような本体１１ａと枠体１２ａ〜１２ｄは、同様の素材を溶着して形成してもよいし、本体１１ａを、例えば化学繊維や天然繊維等で形成し、枠体１２ａ〜１２ｄを例えばポリ塩化ビニル等の高分子材料で形成して、後から接着してもよい。
【００２７】
＜変形例２＞
図５は、本考案の変形例１に係るアイマスク型冷却具１ｃの上面図である。本例に係るアイマスク型冷却具１ｃは、上述の実施形態に係るアイマスク型冷却具とほぼ同じ構成であるが、枠体が袋体ではなく、クッション性を有する素材で形成されている点で異なる。
【００２８】
枠体１２ｅは、例えば、綿、ウレタン、ラテックス樹脂等からなる枠形状のクッション材であり、その上側長辺にはポケット１２２ａが、下側長辺には、左右にポケット１２２ｂまたは１２２ｃが設けられている。このようなポケット１２２ａ〜１２２ｃに、冷却材１５ａ又は１５ｂを挿入することによって、利用者は、任意の部位を冷却することができる。また、直接肌に冷却材が当たらないため、過度な冷却を防止すると共に、結露によって肌が濡れずにすむ。なお、ポケットの位置はこれに限定されず、左右の短辺にポケットを設けてもよい。
【００２９】
また、このポケットに保温材として、トルマリン、滑石、ゲルマニウム、チタン等の鉱石を挿入することもできる。これにより利用者は、イオンや遠赤、ホルミシス効果が得られる。さらに、鉄、クロム、コバルト、フェライト等の磁性体を挿入し、眼筋周辺の血行を改善し、疲れを和らげる効果を得ることもできる。
【００３０】
さらに、このような枠体１２ｅでは、利用者の眼の回りにクッション性素材が密着する。従って、開口１１４をアクリル板等で覆ってしまえば、眼の周囲に対する塵埃や花粉の侵入を防ぐことができる。
【００３１】
以上、第一の実施形態に係るアイマスク型冷却具の変形例について説明した。なお、変形例は上記に限らず、多くの代替物、修正および変形例が当業者にとって明らかである。例えば、枠体は、利用者の両眼の周辺に当接するものであれば、その大きさや形状を自由に設計することができる。
【００３２】
例えば、上側長辺の幅を広げることにより額を広範囲に冷やしたり、逆に下側長辺の幅を広げれば鼻を広範囲に冷やすこともできる。なお、上記変形例における各特徴をそれぞれ組み合わせて用いることもできる。また、各辺の幅を狭めることで、眼鏡を装着したままの使用にも対応できる。
【００３３】
また、冷却材に換えて、枠体内に予め液状又はゲル状の保温材を封入してもよい。もちろん、粒状の鉱石や磁性体を封入し、温めて使用することもできる。また、図８に記載するように、枠体の内側や外側に、磁性体９０を直接接着してもよい。磁性体９０は、突起状のものとすることができる。また、疲れ目に効くとされるツボ（経口経絡）、例えば、
さん竹（眉毛の一番内側のところ）、魚腰（眉毛のまんなか）、糸竹空（眉毛の一番外側） 
、晴明（目頭と鼻のあいだのくぼみ）、承泣（瞳の下のくぼみ）、瞳子りょう（目尻から親指１つ分外側）、太陽（眉尻と目尻から髪の生え際の間のくぼみ）などに配置するとよい。これにより、利用者は、眼の周囲のツボを刺激することによって、眼筋の疲れを和らげることができる。なお、磁性体９０のような磁石だけでなく、突起状のゴムを配置して、利用者のツボを押圧するようにしてもよい。
【００３４】
＜第二の実施形態＞
次に、本考案の第二の実施形態に係るアイマスク型冷却具２について説明する。図６（ａ）及び（ｂ）は、本考案の第二の実施形態に係るアイマスク型冷却具２の上面図である。本例に係るアイマスク型冷却具２は、上述の第一の実施形態に係るアイマスク型冷却具１とほぼ同じ構成であるが、開口１１４に代えて複数の孔２１４が形成された本体２１を有している点で異なる。
【００３５】
本体２１は、その中央付近（利用者の眼前にくる位置）に、横方向に一列に配列された複数の孔２１４が形成されている。このような孔２１４は、利用者がアイマスク型冷却具２を装着した場合に、左右の視野の端から端までの長さの間に連続的に配置されていることが望ましい。
【００３６】
利用者は、このようなアイマスク型冷却具２を装着すると、焦点深度が深くなるため、近視や遠視矯正用のメガネレンズを装用しなくとも、楽に結像することが可能になる。また、入射する光の量が制限されるため、虹彩筋を休めることができる。さらに、一つ一つの孔から順次視標を見ることにより、眼筋のトレーニングを行う事も可能である。
【００３７】
なお、孔２１４の配列はこれに限らず、左右両眼の眼前にそれぞれ縦一列に配列されるようにしてもよい。孔２１４を横一列に配列すると、利用者は縦方向については、首の動きにより視野を移動させる。同様に、縦一列に配列すると、利用者は横方向については首の動きで視野を移動させることとなる。これにより、利用者の眼の動きが縦、或いは横に制限されるため、眼筋を休めることができる。
【００３８】
＜第三の実施形態＞
次に、本考案の第三の実施形態に係るアイマスク型冷却具３について説明する。図７（ａ）は、本考案の第三の実施形態に係るアイマスク型冷却具３の上面図、図７（ｂ）は、に着脱可能な交換部材３０ａ〜３０ｃの説明図である。本例に係るアイマスク型冷却具３は、上述実施形態に係るアイマスク型冷却具とほぼ同じ構成であるが、開口１１４の周辺に貼附部材３１５が形成された本体３１を有している点で異なる。
【００３９】
貼附部材３１５は、図７（ｂ）に示す交換部材３０ａ〜３０ｃを貼り付けて使用するものであり、ここでは、マジックテープ（登録商標）を利用するものとする。しかしこれに限らず、他の面状ファスナーや、スナップ、ボタン、マグネット等の留め具を利用してもよい。
【００４０】
交換部材３０ａ〜３０ｃは、貼附部材３１５に貼り付けるための貼附部材３１６が周辺に形成された、横長の部材である。
【００４１】
例えば、交換部材３０ａには、その中央付近に、開口１１４よりも小さな開口１１４ａが形成されている。このような交換部材３０ａを本体３１に貼り付けて使用することで、利用者は、眼前の開口の大きさを調節することができる。
【００４２】
交換部材３０ｂには、孔２１４が横方向に一列に配列されている。このような交換部材３０ｂを本体３１に貼り付けて使用することで、利用者は、視標を楽に結像することができる。なお、孔２１４の配列はこれに限らず、左右両眼の眼前にそれぞれ縦一列に配列されるようにしてもよい。孔２１４を横一列に配列すると、利用者は縦方向については、首の動きにより視野を移動させる。同様に、縦一列に配列すると、利用者は横方向については首の動きで視野を移動させることとなる。これにより、利用者の眼の動きが縦、或いは横に制限されるため、眼筋を休めることができる。
【００４３】
交換部材３０ｃは、遮光性の布地３１４が形成されている。このような交換部材３０ｃを本体３１に貼り付けて使用することで、利用者は、視界を遮断して休むことができる。なお、遮光性の布地３１４は、単なる透明な板や、目を保護するフィルタ等としてもよい。例えば、着色、遮光、紫外線遮蔽、偏光機能を有するフィルタやレンズ等である。
【００４４】
以上、本考案の実施形態の一例について説明した。このように本考案によれば、利用者は、視界を維持したまま冷却効果を得ることができる。
【００４５】
上記の本考案の実施形態は、本考案の要旨と範囲を例示することを意図し、限定するものではない。多くの代替物、修正および変形例が当業者にとって明らかである。
【００４６】
例えば、枠体の内容物は冷却材に限らず、様々なものが利用できる。具体的には、保温材、保湿材、綿、羽、毛、籾殻や蕎麦殻等の殻、竹、檜等の木材又はその炭、ウレタンやラテックス等の樹脂、ポリエチレンやポリスチレン、ポリプロピレン等の樹脂、もしくは樹脂からなるパイプ又はビーズ等が挙げられる。
【００４７】
また、枠体自体を着脱自在に構成してもよい。これにより、利用者は、保温効果を有する枠体に取り換えたり、好みの使用感の素材の枠体に取り換えたりすることが可能となる。
【００４８】
なお、上記の各図は、本考案の特徴を説明するにあたって、アイマスクの主要構成を示したものであり、一般的なアイマスクに必要な構成を排除するものでもない。
【符号の説明】
【００４９】
１〜３・１ａ〜１ｅ…アイマスク型冷却具、１１・１１ａ・２１・３１…本体、１２・１２ａ〜１２ｅ…枠体、１５ａ・１５ｂ…冷却材、３０ａ〜ｃ…交換部材、９０…磁性体、１１１・１１１ａ…マスク部、１１２ａ・１１２ｂ・１１６ａ・１１６ｂ…バンド、１１３ａ・１１３ｂ…固定部材、１１４・１１４ａ・１２１…開口、１２２ａ〜ｂ…ポケット、２１４…孔、３１４…布地、３１５・３１６…貼附部材。
【図１】
0003168814.tif 000003
【図２】
0003168814.tif 000004
【図３】
0003168814.tif 000005
【図４】
0003168814.tif 000006
【図５】
0003168814.tif 000007
【図６】
0003168814.tif 000008
【図７】
0003168814.tif 000009
【図８】
0003168814.tif 000010